(57)【特許請求の範囲】
【請求項１】
画像形成装置の左右外側の側面を形成する一対の側面カバーと、
前記側面カバーに左右方向内側に向けて凹むように形成される手掛け部と、
前記一対の側面カバーを連結する連結部材と、
前記連結部材とは別に設けられ、前記手掛け部に対して内側から組み付けられる組付部材と、を備え、
前記手掛け部の上壁には、上下に貫通する挿入孔が形成され、
前記組付部材には、下方に突出する突起が設けられ、
前記手掛け部に前記組付部材を組み付けると、前記突起が前記挿入孔を通って前記手掛け部の上壁から下方に向けて突出し、
前記組付部材は、前記手掛け部の上壁と前記連結部材との間で挟み込まれて保持されていることを特徴とする画像形成装置。
【請求項２】
画像形成装置の左右外側の側面を形成する一対の側面カバーと、
前記側面カバーに左右方向内側に向けて凹むように形成される手掛け部と、
前記一対の側面カバーを連結する連結部材と、
前記連結部材とは別に設けられ、前記手掛け部に対して内側から組み付けられる組付部材と、を備え、
前記手掛け部の上壁には、上下に貫通する挿入孔が形成され、
前記組付部材には、下方に突出する突起が設けられ、
前記手掛け部に前記組付部材を組み付けると、前記突起が前記挿入孔を通って前記手掛け部の上壁から下方に向けて突出し、
前記組付部材には、前記突起が複数設けられ、
前記複数の突起は、前記手掛け部の開口縁に沿って間隔を空けて並べられ、
前記間隔が、ユーザの指よりも小さく形成されていることを特徴とする画像形成装置。
【請求項３】
画像形成装置の左右外側の側面を形成する一対の側面カバーと、
前記側面カバーに左右方向内側に向けて凹むように形成される手掛け部と、
前記一対の側面カバーを連結する連結部材と、
前記連結部材とは別に設けられ、前記手掛け部に対して内側から組み付けられる組付部材と、を備え、
前記手掛け部の上壁には、上下に貫通する挿入孔が形成され、
前記組付部材には、下方に突出する突起が設けられ、
前記手掛け部に前記組付部材を組み付けると、前記突起が前記挿入孔を通って前記手掛け部の上壁から下方に向けて突出し、
前記組付部材は、前後方向に延びる基部と、基部の前後の端部から下方に延びる前壁部および後壁部と、当該前壁部および当該後壁部に設けられる係合部とを備え、
前記手掛け部の前壁および後壁には、前記係合部に係合する被係合部が設けられていることを特徴とする画像形成装置。
【請求項４】
前記組付部材は、前記手掛け部の上壁と前記連結部材との間で挟み込まれて保持されていることを特徴とする請求項２または請求項３に記載の画像形成装置。
【請求項５】
前記組付部材には、前記突起が複数設けられていることを特徴とする請求項１または請求項３に記載の画像形成装置。
【請求項６】
前記手掛け部には、前記複数の突起に対応して前記挿入孔が複数形成されていることを特徴とする請求項２または請求項５に記載の画像形成装置。
【請求項７】
前記複数の突起は、前記手掛け部の開口縁に沿って間隔を空けて並べられ、
前記間隔が、ユーザの指よりも小さく形成されていることを特徴とする請求項５に記載の画像形成装置。
【請求項８】
前記突起と前記手掛け部の底壁との間隔は、ユーザの指よりも大きく形成されていることを特徴とする請求項１〜請求項７のいずれか１項に記載の画像形成装置。
【請求項９】
前記手掛け部の上壁または前記連結部材に向けて前記組付部材を付勢する弾性部材をさらに備えたことを特徴とする請求項１または請求項４に記載の画像形成装置。
【請求項１０】
前記組付部材は、前後方向に延びる基部と、基部の前後の端部から下方に延びる前壁部および後壁部と、当該前壁部および当該後壁部に設けられる係合部とを備え、
前記手掛け部の前壁および後壁には、前記係合部に係合する被係合部が設けられていることを特徴とする請求項１または請求項２に記載の画像形成装置。
【発明の詳細な説明】
【技術分野】
【０００１】
本発明は、本体筐体の左右の側面に手掛け部を有する画像形成装置に関する。
【背景技術】
【０００２】
従来、画像形成装置として、本体筐体の左右の側面に凹状の手掛け部を形成し、この手掛け部内に滑り止め用の部材を接着剤で固定するものが知られている（特許文献１参照）。この技術では、ユーザが手掛け部に手を掛けて画像形成装置を持ち上げる際に、滑り止め用の部材に手が引っ掛かることで、手掛け部から手が滑ることが抑えられている。
【先行技術文献】
【特許文献】
【０００３】
【特許文献１】特開２００５−１８９７５２号公報
【発明の概要】
【発明が解決しようとする課題】
【０００４】
しかしながら、上記のような画像形成装置では、滑り止め用の部材を手掛け部に取り付ける際、滑り止め用の部材に接着剤の量を調整しながら塗り付ける手間や、手掛け部の上面を見上げるようにして当該上面の適正な位置に滑り止め用の部材を下から位置合わせして貼り付ける手間が必要であるため、その作業が煩雑になるといった問題があった。
【０００５】
そこで、本発明は、手掛け部に滑り止めを設ける作業を容易にすることができる画像形成装置を提供することを目的とする。
【課題を解決するための手段】
【０００６】
前記課題を解決するため、本発明に係る画像形成装置は、画像形成装置の左右外側の側面を形成する一対の側面カバーと、前記側面カバーに左右方向内側に向けて凹むように形成される手掛け部と、前記一対の側面カバーを連結する連結部材と、前記連結部材とは別に設けられ、前記手掛け部に対して内側から組み付けられる組付部材と、を備える。
前記手掛け部の上壁には、上下に貫通する挿入孔が形成され、前記組付部材には、下方に突出する突起が設けられる。
そして、前記手掛け部に前記組付部材を組み付けると、前記突起が前記挿入孔を通って前記手掛け部の上壁から下方に向けて突出するようになっている。
前記組付部材は、前記手掛け部の上壁と前記連結部材との間で挟み込まれて保持されている。
また、本発明に係る画像形成装置は、画像形成装置の左右外側の側面を形成する一対の側面カバーと、前記側面カバーに左右方向内側に向けて凹むように形成される手掛け部と、前記一対の側面カバーを連結する連結部材と、前記連結部材とは別に設けられ、前記手掛け部に対して内側から組み付けられる組付部材と、を備え、前記手掛け部の上壁には、上下に貫通する挿入孔が形成され、前記組付部材には、下方に突出する突起が設けられ、前記手掛け部に前記組付部材を組み付けると、前記突起が前記挿入孔を通って前記手掛け部の上壁から下方に向けて突出し、前記組付部材には、前記突起が複数設けられ、前記複数の突起は、前記手掛け部の開口縁に沿って間隔を空けて並べられ、前記間隔が、ユーザの指よりも小さく形成されている構成としてもよい。
本発明に係る画像形成装置は、画像形成装置の左右外側の側面を形成する一対の側面カバーと、前記側面カバーに左右方向内側に向けて凹むように形成される手掛け部と、前記一対の側面カバーを連結する連結部材と、前記連結部材とは別に設けられ、前記手掛け部に対して内側から組み付けられる組付部材と、を備え、前記手掛け部の上壁には、上下に貫通する挿入孔が形成され、前記組付部材には、下方に突出する突起が設けられ、前記手掛け部に前記組付部材を組み付けると、前記突起が前記挿入孔を通って前記手掛け部の上壁から下方に向けて突出し、前記組付部材は、前後方向に延びる基部と、基部の前後の端部から下方に延びる前壁部および後壁部と、当該前壁部および当該後壁部に設けられる係合部とを備え、前記手掛け部の前壁および後壁には、前記係合部に係合する被係合部が設けられている構成としてもよい。
【０００７】
この構成によれば、手掛け部に組付部材を組み付けるだけで、挿入孔から下方に突出した突起によって滑り止めが構成されるので、手掛け部に滑り止めを設ける作業を容易にすることができる。
【０００９】
組付部材が手掛け部の上壁と連結部材との間で挟み込まれて保持されている構成とすることで、組付部材を手掛け部に固定するためのネジ等を設ける必要がないので、コストダウンを図ることができる。
【００１１】
組付部材に、突起が複数設けられていることで、手掛け部に手を掛けるときに手が突起に引っ掛かりやすいので、滑り止めの効果をより発揮することができる。また、複数の突起が、手掛け部の開口縁に沿って間隔を空けて並べられ、この間隔が、ユーザの指よりも小さく形成されていることで、ユーザが手掛け部に手を掛けたときに、指が複数の突起の間を通り抜けるのを抑えることができるので、指を確実に突起に引っ掛けることができ、滑り止めの効果を確実に発揮することができる。
そして、組付部材に係合部を設け、手掛け部に係合部に係合する被係合部を設けることで、手掛け部の上壁と連結部材とで組付部材を挟み込む前に、係合部と被係合部との係合によって組付部材を手掛け部に仮組みすることができるので、組付作業を容易にすることができる。
【００１２】
また、前記した構成において、前記手掛け部には、前記複数の突起に対応して前記挿入孔が複数形成されているのが望ましい。
【００１３】
これによれば、複数の突起を１つの挿入孔に通す形態に比べ、手掛け部の剛性を上げることができるので、手掛け部に手を掛けて画像形成装置を持ち上げるときに、手掛け部の変形を抑えることができる。
【００１６】
また、前記した構成において、前記突起と前記手掛け部の底壁との間隔は、ユーザの指よりも大きく形成されているのが望ましい。
【００１７】
これによれば、突起と手掛け部の底壁との間に指を確実に入れることができるので、突起の内側から指を確実に引っ掛けることができる。
【００１８】
また、前記した構成において、前記手掛け部の上壁または前記連結部材に向けて前記組付部材を付勢する弾性部材をさらに備えるのが望ましい。
【００１９】
これによれば、弾性部材によって組付部材が手掛け部または連結部材に押し付けられるので、組付部材の上下方向のガタツキを抑えることができる。
【発明の効果】
【００２２】
本発明によれば、手掛け部に滑り止めを設ける作業を容易にすることができる。
【図面の簡単な説明】
【００２３】
【図１】本発明の実施形態に係る複合機を示す斜視図である。
【図２】複合機を棚に収納した状態を示す図である。
【図３】手掛け部を下から見上げた状態を示す斜視図である。
【図４】連結部材等を示す斜視図である。
【図５】組付部材と手掛け部を左右方向外側から見上げた状態を示す分解斜視図である。
【図６】組付部材と手掛け部を左右方向内側から見下ろした状態を示す分解斜視図である。
【図７】組付部材と手掛け部を左右方向内側から見上げた状態を示す分解斜視図である。
【図８】連結部材を左右方向外側から見た状態を示す斜視図である。
【図９】手掛け部付近の構造を示す断面図である。
【発明を実施するための形態】
【００２４】
次に、本発明の実施形態について、適宜図面を参照しながら詳細に説明する。
図１に示すように、画像形成装置の一例としての複合機１は、本体筐体１０と、原稿読取装置２０と、画像形成部ＰＦ（図２参照）を備えている。
【００２５】
なお、本実施形態において、画像形成部ＰＦは、公知の感光体や露光装置を備えて構成される部分であり、この画像形成部ＰＦよりも用紙搬送方向下流側には、用紙上の画像を熱定着する図示せぬ定着装置が設けられている。そして、画像形成部ＰＦおよび定着装置で画像が形成された用紙は、本体筐体１０の上部に形成された排出口１１を通って、本体筐体１０の上部に配置される排出トレイ１２上に排出されるようになっている。
排出口１１と排紙トレイ１２は、画像形成部ＰＦの上に備えられる連結部材５０に形成されている。連結部材５０の左右方向両端部には、図４に示すように、上方に突出する一対の側壁部５２が形成され、各側壁部５２の上部には、本体筐体１０の上面１０Ｂを構成するカバー部材７１がそれぞれ取り付けられている。
【００２６】
また、連結部材５０の後側上部には、原稿読取装置２０の筐体である読取装置用筐体７２が取り付けられている。原稿読取装置２０は、原稿を前方に搬送しながら、原稿の画像を読み取る装置であり、本体筐体１０の上面１０Ｂを構成する上壁１４の下側に設けられている。
上壁１４とカバー部材７１は、前方に向かうにつれて下方に傾斜するように形成されており、上面１０Ｂの後端は、装置筐体１０の前後方向中央よりも後ろ側まで形成されている。上面１０Ｂの後端からは、後方に向かうにつれて下方に傾斜する後面１０Ｅが形成されている。上面１０Ｂと後面１０Ｅとにより、装置筐体１０の上部の側面視は、上に備えられる頂点が後方に傾いた三角形状になっている。
読取装置２０の後方には、折りたたむことで収納できる読取用給紙トレイ１６が備えられている。読取用給紙トレイ１６から給紙された原稿は、原稿読取装置２０によって画像が読み取られる。画像が読み取られた原稿は、排紙トレイ１２の上方に備えられる読取用排紙トレイ１７上に排紙される。
【００２７】
本体筐体１０は、左右の側面１０Ａの上部に左右方向内側へ凹むように形成される手掛け部３０を有するとともに、その上面１０Ｂが前方に向かうにつれて下方に傾斜するように形成されている。そして、手掛け部３０は、前後方向における略中央の位置であって、本体筐体１０の上面１０Ｂの近傍、詳しくは、ユーザが上面１０Ｂと同時に把持することができる位置に配置されている。本実施形態においては、原稿読取装置２０よりも下方であって、排紙トレイ１２よりも上方の位置に設けられている。
連結部材５０は画像形成部ＰＦよりも上方に配置されており、画像形成するための図示しない高圧基板やギヤ列などを保持していない。高圧基板やギヤ列を保持する必要がないため、手掛け部３０を形成するときにスペース的な制約が少なく、自由に手掛け部３０を設けることで装置の小型化を図ることができる。
【００２８】
なお、手掛け部３０の位置は、適宜設定することができる。例えば、複合機１を使用すると想定されるユーザのうち最も手の小さなユーザの手に合わせた位置としてもよいし、標準的な大きさの手に合わせた位置としてもよい。具体的には、例えば、手掛け部３０の位置は、上面１０Ｂからの最短距離が１５ｍｍ〜６０ｍｍとなるような位置にすることができる。
【００２９】
そして、前述したように本体筐体１０の上面１０Ｂが前斜め下方に向かって斜めに形成されることによって、図２に示すように、複合機１が収納スペースの小さな棚Ｒ内に収納されて、本体筐体１０と、棚Ｒの上壁Ｒ１および左右の壁Ｒ２（１つのみ図示）との間隔が狭い場合であっても、本体筐体１０の上方の空間Ｓを利用してユーザの手Ｈの全体を手掛け部３０付近まで容易にアクセスすることができるようになっている。また、手掛け部３０が上面１０Ｂの近傍に配置されることにより、本体筐体１０と棚Ｒの左右の壁Ｒ２との間に手先だけを入れれば、容易に手掛け部３０に手を掛けることができるので、複合機１を狭い収納スペースから容易に取り出すことが可能となっている。
【００３０】
なお、このような狭い棚Ｒ内に複合機１を収納するケースとしては、例えば未使用時には複合機１のコンセントを外して棚Ｒ内に収納し、使用するときに複合機１を棚Ｒから取り出す場合などがある。
【００３１】
また、手掛け部３０の上面３０Ａは、本体筐体１０の下面１０Ｄと平行（水平）に形成されている。これにより、本体筐体１０の斜めの上面１０Ｂと手掛け部３０の上面３０Ａとによって把持部１０Ｃが手Ｈの形状に合った三角形状となるので、ユーザが把持部１０Ｃを掴み易くなり、複合機１を棚Ｒ内から容易に引き出すことが可能となっている。すなわち、人間の手Ｈは、小指、薬指、中指の順に各指の長さが長くなるため、手を軽く握ったときには、親指の付け根の腹と、中指、薬指、小指の指先を結ぶ線とが三角形になって、親指の付け根の腹と各指先が三角形状の把持部１０Ｃにフィットするようになっている。
【００３２】
なお、把持部１０Ｃの上面１０Ｂの傾き（手掛け部３０の上面３０Ａに対する傾き）は、適宜設定することができる。ただし、鈍角よりも鋭角の方がユーザが握り易いため、鋭角にするのが望ましい。具体的には、例えば、上面１０Ｂの傾きは、１０°〜３５°とすることができる。
【００３３】
また、手掛け部３０の上面３０Ａが本体筐体１０の下面１０Ｄと平行であることにより、例えば地面に置いた複合機１を持ち上げるときに、本体筐体１０の下面１０Ｄを設置面に対して平行に保ったまま持ち上げることができるので、複合機１を持ち上げるときに本体筐体１０が傾いて下面１０Ｄが設置面にぶつかるのを抑えることが可能となっている。
【００３４】
また、図１に示すように、本体筐体１０の上面１０Ｂの左右方向略中央部には、複合機１を操作するための複数のボタンスイッチＢＳやテンキーＴＫが設けられている。そして、これらの複数のボタンスイッチＢＳやテンキーＴＫよりも左右方向外側には、前述した手掛け部３０の上面３０Ａと本体筐体１０の上面１０Ｂとによって断面視略三角形状の把持部１０Ｃ（ドットで示す部分）が形成されるようになっている。
【００３５】
詳しくは、手掛け部３０の後述する底壁３５から左右方向内側に離れた位置に複数のボタンスイッチＢＳやテンキーＴＫが設けられることで、把持部１０ＣがボタンスイッチＢＳ等から左右方向に離れて形成されるようになっている。そして、このように把持部１０Ｃが複数のボタンスイッチＢＳやテンキーＴＫから左右方向外側に離れて配置されることによって、ユーザが把持部１０Ｃを握ったときに手がボタンスイッチＢＳ等に触れないので、複合機１の持ち運び時にボタンスイッチＢＳ等に負荷がかかるのを抑えることが可能となっている。
【００３６】
次に、本体筐体１０を構成する各部材について詳細に説明する。
図３〜図５に示すように、本体筐体１０は、前述した手掛け部３０が形成される左右一対の側面カバー４０（１つのみ図示）と、一対の側面カバー４０を連結する連結部材５０と、連結部材５０とは別に設けられ、手掛け部３０に対して内側から組み付けられる組付部材６０とを主に備えている。
【００３７】
側面カバー４０は、複合機１の左右外側の側面１０Ａを形成する部材であり、その上部には、前述した左右方向内側へ向けて凹む手掛け部３０が形成されている。手掛け部３０は、左右方向外側へ開口する凹部であり、図５〜図７に示すように、側面カバー４０から左右方向内側に屈曲する上壁３１、下壁３２、前壁３３および後壁３４と、これらの壁３１〜３４の左右方向内側の端部を繋ぐ底壁３５（図３参照）とを有している。
【００３８】
そして、手掛け部３０の上壁３１には、上下に貫通する５つ（複数）の挿入孔３１Ａが形成されている。これに対し、組付部材６０には、下方に突出する突起６１が、複数の挿入孔３１Ａに対応するように複数設けられている。そして、図３に示すように、手掛け部３０に組付部材６０を組み付けると、各突起６１が各挿入孔３１Ａを通って手掛け部３０の上壁３１から下方に向けて突出するようになっている。
【００３９】
これにより、手掛け部３０に組付部材６０を組み付けるだけで、挿入孔３１Ａから下方に突出した突起６１によって滑り止めが構成されるので、手掛け部３０に滑り止めを設ける作業を容易にすることが可能となっている。また、突起６１が複数設けられることにより、手掛け部３０に手を掛けるときに手が突起６１に引っ掛かりやすいので、滑り止めの効果をより発揮することが可能となっている。
【００４０】
さらに、挿入孔３１Ａが複数の突起６１に対応して複数形成されているので、例えば複数の突起を１つの挿入孔に通す形態に比べ、手掛け部３０の剛性を上げることができ、その結果、手掛け部３０に手を掛けて複合機１を持ち上げるときに、手掛け部３０の変形を抑えることが可能となっている。
【００４１】
また、複数の挿入孔３１Ａは、凹状の手掛け部３０の開口縁３０Ｂに沿って間隔を空けて並べられ、その間隔が、ユーザの指よりも小さく形成されている。これにより、手掛け部３０に組付部材６０を組み付けたときに、各挿入孔３１Ａから下方に突出する各突起６１が手掛け部３０の開口縁３０Ｂに沿って間隔を空けて並べられ、その間隔が、ユーザの指よりも小さく形成されるようになっている。
【００４２】
ここで、「各突起６１の間隔」は、適宜設定することができる。例えば、複合機１を使用すると想定されるユーザのうち最も指の小さなユーザの指よりも小さくしてもよいし、標準的な大きさの指よりも小さくしてもよい。
【００４３】
このように突起６１の間隔を設定することで、ユーザが手掛け部３０に手を掛けたときに、指が複数の突起６１の間を通り抜けるのを抑えることができるので、指を確実に突起６１に引っ掛けることができ、滑り止めの効果を確実に発揮することが可能となっている。
【００４４】
また、各挿入孔３１Ａと手掛け部３０の底壁３５との間隔（左右方向の距離）は、ユーザの指よりも大きく形成されている。これにより、手掛け部３０に組付部材６０を組み付けたときに、各挿入孔３１Ａから下方に突出する各突起６１と底壁３５との間隔が、ユーザの指よりも大きく形成されるようになっている。
【００４５】
ここで、「突起６１と底壁３５との間隔」は、適宜設定することができる。例えば、複合機１を使用すると想定されるユーザのうち最も指の大きなユーザの指よりも大きくしてもよいし、標準的な大きさの指よりも大きくしてもよい。
【００４６】
このように突起６１と底壁３５との間隔を設定することで、突起６１と底壁３５との間に指を確実に入れることができるので、突起６１の内側から指を確実に引っ掛けることが可能となっている。
【００４７】
図４に示すように、連結部材５０は、前後左右方向に延びる略板状の部材であり、連結部材５０の左右方向両端面のうち前後方向略中央部には、手掛け部３０よりも一回り大きな凹部である保持用凹部５３がそれぞれ設けられている。
【００４８】
保持用凹部５３は、左右方向外側に開口する凹部であり、図８に示すように、上壁部５３Ａ、下壁部５３Ｂ、前壁部５３Ｃ、後壁部５３Ｄおよび底壁部５３Ｅを有している。そして、この保持用凹部５３内に前述した手掛け部３０が配置されるように左右の側面カバー４０が連結部材５０で連結されることで、図９に示すように、組付部材６０が手掛け部３０の上壁３１と保持用凹部５３の上壁部５３Ａとの間で挟み込まれて保持されるようになっている。
【００４９】
これにより、組付部材６０を手掛け部３０に固定するためのネジ等を設ける必要がないので、コストダウンを図ることが可能となっている。
【００５０】
図７に示すように、組付部材６０は、樹脂製の部材であり、前後方向に延びる長尺状の基部６２と、基部６２の前後の端部から下方に延びる前壁部６３および後壁部６４とを備えて構成されている。
【００５１】
基部６２の左右方向外側の端部には、前述した複数の突起６１が形成され、基部６２の左右方向略中央部には、上下方向に撓み変形可能な弾性部材の一例としてのバネ部６５が一体に形成されている。バネ部６５は、左右両側に貫通孔６２Ａが形成されることで基部６２の他部とは別に撓み変形可能となっており、その前後方向中央部が下方に突出するように形成されている。
【００５２】
また、バネ部６５は、前後方向において間隔を空けて３つ（複数）設けられている。そして、このバネ部６５は、図９に示すように、組付部材６０が手掛け部３０の上壁３１と保持用凹部５３の上壁部５３Ａとの間で挟み込まれた際に、手掛け部３０の上壁３１と接触して撓むことで、組付部材６０を保持用凹部５３の上壁部５３Ａに向けて付勢するようになっている。
【００５３】
これにより、バネ部６５によって組付部材６０が保持用凹部５３の上壁部５３Ａに押し付けられるので、組付部材６０の上下方向のガタツキを抑えることが可能となっている。
【００５４】
なお、本実施形態では、基部６２の左右方向外側の端部（複数の突起６１が形成される部分）には、上方に向けて突出する突出壁６６が前後方向に延びるように、詳しくは複数の突起６１が形成される範囲（図５参照）にわたって形成されている。そして、この突出壁６６の上端が保持用凹部５３の上壁部５３Ａに接触するようになっている。
【００５５】
これにより、手掛け部３０に手を掛けて複合機１を持ち上げる際に、手から突起６１に対して上方に押し込むような力が加わった場合であっても、突起６１の真上にある突出壁６６と保持用凹部５３の上壁部５３Ａとの当接により、基部６２が変形するのを抑えることが可能となっている。そして、このように基部６２の変形を抑えることで、突起６１が挿入孔３１Ａ内に潜り込むのを確実に抑えることが可能となっている。
【００５６】
図６および図７に示すように、前壁部６３および後壁部６４の下端には、前後方向内側に突出する係合部の一例としての係合爪６３Ａ，６４Ａが形成されている。これに対し、手掛け部３０の前壁３３および後壁３４には、係合爪６３Ａ，６４Ａに係合する被係合部の一例としての被係合爪３３Ａ，３４Ａが前後方向外側に突出するように形成されている。
【００５７】
これにより、手掛け部３０の上壁３１と連結部材５０とで組付部材６０を挟み込む前に、係合爪６３Ａ，６４Ａと被係合爪３３Ａ，３４Ａとの係合によって組付部材６０を手掛け部３０に仮組みすることができるので、組付作業をより容易にすることが可能となっている。
【００５８】
以上によれば、本実施形態において、前述した効果に加え以下に示す効果を得ることができる。
連結部材５０よりもはるかに小さい組付部材６０を手掛け部３０に組み付ければよいため、例えば手掛け部の挿入孔に挿入される突起を連結部材に形成するものに比べ、挿入孔３１Ａに突起６１を挿入させやすく、その組付作業を容易にすることができる。また、組付部材６０と連結部材５０を別部材としたので、組付部材６０と連結部材５０をそれぞれ違う材質（例えば、滑り難い材質や剛性の高い材質）にすることができる。
【００５９】
なお、本発明は前記実施形態に限定されることなく、以下に例示するように様々な形態で利用できる。
前記実施形態では、弾性部材の一例として組付部材６０に一体に形成されるバネ部６５を例示したが、本発明はこれに限定されず、例えば、組付部材とは別に設けられる板バネ、線バネ、コイルバネ等を弾性部材として用いてもよい。また、前記実施形態では、弾性部材（バネ部６５）によって組付部材６０を連結部材５０（保持用凹部５３の上壁部５３Ａ）に向けて付勢したが、本発明はこれに限定されず、これとは逆に、弾性部材によって組付部材を手掛け部の上壁に向けて付勢してもよい。
【００６０】
また、本実施形態では、上面１０Ｂを構成する部材（カバー部材７１と上壁１４）全てを前斜め下方に向けて傾斜させたが、本発明はこれに限定されず、把持部１０Ｃを形成する部材（本実施形態ではカバー部材７１）のみを前斜め下方に向けて傾斜させてもよい。
また、本実施形態では、手掛け部３０を排紙トレイ１２と画像読取装置２０の間に設けたが、本発明はこれに限定されず、手掛け部を左右方向で画像読取装置２０と重なる位置または、左右方向において排出トレイ１２と重なる位置に形成していてもよい。
【００６１】
前記実施形態では、突起６１および挿入孔３１Ａを複数設けたが、本発明はこれに限定されず、突起や挿入孔は１つであってもよい。また、複数の突起と、これらの突起が挿入される１つの挿入孔を設けてもよい。
【００６２】
前記実施形態では、係合部および被係合部の一例として突起状の係合爪６３Ａ，６４Ａおよび被係合爪３３Ａ，３４Ａを例示したが、本発明はこれに限定されず、例えば一方が凸状で、他方が凹状に形成されていてもよい。
【００６３】
前記実施形態では、複合機１に本発明を適用したが、本発明はこれに限定されず、その他の画像形成装置、例えばプリンタや複写機などに本発明を適用してもよい。
【符号の説明】
【００６４】
１      複合機
３０    手掛け部
３１    上壁
３１Ａ  挿入孔
４０    側面カバー
５０    連結部材
６０    組付部材
６１    突起
【図１】
0005803577.tif 000002
【図２】
0005803577.tif 000003
【図３】
0005803577.tif 000004
【図４】
0005803577.tif 000005
【図５】
0005803577.tif 000006
【図６】
0005803577.tif 000007
【図７】
0005803577.tif 000008
【図８】
0005803577.tif 000009
【図９】
0005803577.tif 000010